(57)【要約】【課題】指針造形に立体感を与えながら円弧状の発光部の輝度を向上させることが可能な発光指針を提供する。【解決手段】基部１１と、指示部１２とを有し、基部１１の背後側端部に形成した受光部１１４から入光する光によって光輝する透光部材１と、指示部１２を露出させた状態で基部１１を覆う遮光部材２，３とを備え、基部１１が導光部１１３を有し、この導光部１１３の先端側を遮光部材２，３から露出させることにより、指示部１２と共に発光部１１５を発光させてなる発光指針において、導光部１１３の直径方向における厚み寸法を発光部１１５に向かうに従って徐々に小さく設けることによって、すり鉢状の壁面部１１６を設け、遮光部材２に壁面部１１６を覆うすり鉢状の被覆部２１を設けてなる。【選択図】  図５
2010112720.tif 000002
【特許請求の範囲】
【請求項１】
計器本体の指針軸を中心として回転する基部と、この基部から連続して前記指針軸と交差する方向に伸長する指示部とを有し、前記基部の背後側端部に形成した受光部から入光する光によって光輝する透光部材と、
前記指示部を露出させた状態で前記基部を覆う遮光部材とを備え、
前記基部が前記指針軸を中心軸とした円筒状の導光部を有し、この導光部の先端側を前記遮光部材から露出させることにより、光源からの光を前記透光部材に入射させた際、線状に発光する前記指示部に隣接もしくは連続する円弧状の発光部を形成してなる発光指針において、
前記導光部の直径方向における厚み寸法を前記発光部に向かうに従って徐々に小さく設けることによって前記導光部内に前記発光部に向かうに従って徐々に開口径が経大となるすり鉢状の壁面部を設け、前記遮光部材に前記壁面部の形状に対応するすり鉢状の被覆部を設け、この被覆部で前記壁面部を覆ってなることを特徴とする発光指針。
【請求項２】
前記基部が前記受光部と前記導光部との間に前記導光部と同軸で且つ前記導光部よりも小さな直径方向寸法を有して前記中心軸方向に延びる円筒状の光導入部を有することを特徴とする請求項１記載の発光指針。
【請求項３】
前記光導入部と前記導光部との接続箇所に、前記受光部からの光を前記中心軸を基準とした放射方向に反射する第１の反射部と、この第１の反射部を通じて反射された光を前記導光部の先端側に反射する第２の反射部とが形成されることを特徴とする請求項２記載の発光指針。
【請求項４】
前記第２の反射部の外壁面に着色層を設けてなることを特徴とする請求項３記載の発光指針。
【請求項５】
前記被覆部の底部に基部からの光を透過する透光部を設けてなることを特徴とする請求項１記載の発光指針。
【発明の詳細な説明】
【技術分野】
【０００１】
本発明は、例えば車両などの乗り物に搭載される速度計、エンジン回転計からなる計器本体の指針軸に装着される発光指針に関するものである。
【背景技術】
【０００２】
この種の発光指針として例えば下記特許文献１に記載されているものが知られている。この発光指針は、計器本体１の指針軸２を中心として回転する指針基部（基部）７と、この指針基部７から連続して指針軸２と交差する方向に伸長する指示部６，６ａとを有し、指針基部７の背後側端部に形成した光導入部（受光部）９から入光する光によって光輝する透光部材と、指示部６，６ａを露出させた状態で指針基部７を覆う遮光部材（遮光体、下カバー）８，１８とを備え、指針基部７が指針軸２を中心軸とした円筒状の壁部（導光部）１５を有し、この壁部１５を遮光部材８，１８から露出させることにより、光源からの光を前記透光部材に入射させた際、線状に発光する指示部６，６ａに連続する円弧状の発光部１６を形成してなるものである。
【特許文献１】特開２００３−０４２８１６号公報
【発明の開示】
【発明が解決しようとする課題】
【０００３】
しかしながら上記公報に記載の発光指針は、円筒状の壁部（導光部）１５の直径方向における厚み寸法が発光部１６のサイズに応じて一定であるため、壁部（導光部）１５を通じて発光部１６に至る光量に限界があり、十分な輝度で発光部１６を照明できない場合がある。加えて壁部（導光部）１５の中央に形成される凹部の開口側が遮光部材（遮光体）８によって覆われて塞がれているため、造形的な立体感に乏しいという問題がある。
【０００４】
本発明は前述した問題点に着目し、指針造形に立体感を与えながら円弧状の発光部の輝度を向上させることが可能な発光指針を提供するものである。
【課題を解決するための手段】
【０００５】
本発明は、前述した課題を解決するため、計器本体の指針軸を中心として回転する基部と、この基部から連続して前記指針軸と交差する方向に伸長する指示部とを有し、前記基部の背後側端部に形成した受光部から入光する光によって光輝する透光部材と、前記指示部を露出させた状態で前記基部を覆う遮光部材とを備え、前記基部が前記指針軸を中心軸とした円筒状の導光部を有し、この導光部の先端側を前記遮光部材から露出させることにより、光源からの光を前記透光部材に入射させた際、線状に発光する前記指示部に隣接もしくは連続する円弧状の発光部を形成してなる発光指針において、前記導光部の直径方向における厚み寸法を前記発光部に向かうに従って徐々に小さく設けることによって前記導光部内に前記発光部に向かうに従って徐々に開口径が経大となるすり鉢状の壁面部を設け、前記遮光部材に前記壁面部の形状に対応するすり鉢状の被覆部を設け、この被覆部で前記壁面部を覆ってなることを特徴とする。
かかる構成によれば、発光部に近づくに従って徐々に厚みが小さくなる導光部により、発光部に至る導光部分の体積を大きくして照明効率を高めながら、発光部に向けて厚みが小さくなる形状を利用して、すり鉢状の壁面部を形成し、この壁面部を遮光部材の被覆部で覆うことにより、発光指針の中央部にすり鉢状の窪み部を形成することができ、これにより指針造形に立体感を与えることができる。
【０００６】
また本発明は、前記基部が前記受光部と前記導光部との間に前記導光部と同軸で且つ前記導光部よりも小さな直径方向寸法を有して前記中心軸方向に延びる円筒状の光導入部を有することを特徴とする。
かかる構成によれば、光導入部が導光部よりも小さな直径方向寸法を有するため、発光指針を目盛板上で回転させる際、必要な貫通孔のサイズを小さくでき、光漏れ等の不具合を抑制することができる。
【０００７】
また本発明は、前記光導入部と前記導光部との接続箇所に、前記受光部からの光を前記中心軸を基準とした放射方向に反射する第１の反射部と、この第１の反射部を通じて反射された光を前記導光部の先端側に反射する第２の反射部とが形成されることを特徴とする。
かかる構成によれば、第１，第２の反射部によって導光効率を向上させることができる。
【０００８】
また本発明は、前記第２の反射部の外壁面に着色層を設けてなることを特徴とする。
かかる構成によれば、第２の反射部の外壁面に着色層を設けてなることにいより、発光指針の発光時には着色層によって発光部が着色、色変換、または色調整されて視認され、また発光指針の非発光時には着色層が発光部を透過して視認されるため、常に発光部を所定色にて視認させることができる。
【０００９】
また本発明は、前記壁面部の底部に基部からの光を透過する透光部を設けてなることを特徴とする。
かかる構成によれば、被覆部の底部を発光させることができ、発光部との高低差によって立体感のある照明を行うことができる。
【発明の効果】
【００１０】
本発明によれば、初期の目的を達成することができ、指針造形に立体感を与えながら円弧状の発光部の輝度を向上させることが可能な発光指針を提供することができる。
【発明を実施するための最良の形態】
【００１１】
以下、本発明の実施の形態について添付図面を用いて説明する。
【００１２】
図１から図５は、本発明による発光指針の第１の実施形態を示すもので、図１は本実施形態による発光指針の前面側を示す斜視図、図２は同実施形態による発光指針の背面側を示す斜視図、図３は同実施形態による発光指針の分解斜視図、図４は同実施形態による発光指針の前面側を示す正面図、図５は図４のＡ−Ａ断面図である。
【００１３】
図１〜図５において、本実施形態による発光指針は、透光性合成樹脂からなる透光部材１と、遮光性合成樹脂からなる遮光部材２，３とからなる。
【００１４】
透光性部材１は、計器本体Ｍの指針軸Ｓを中心として回転する基部１１と、この基部１１から連続して指針軸Ｓと交差する方向に伸長し、目盛板Ｐに設けた図示しない指標部を指示する指示部１２とを有しており、基部１１の背後に配置された光源Ｌからの光を受けて発光するようになっている。
【００１５】
基部１１は、連結部１１１と、光導入部１１２と、導光部１１３とを備えており、これら連結部１１１、光導入部１１２、導光部１１３は、円筒状に形成され、指針軸Ｓを中心軸Ｃとした同軸関係に配置されている。
【００１６】
連結部１１１は、指針軸Ｓに圧入固定されるボス形状に設定されている。
【００１７】
光導入部１１２は、導光部よりも小さな直径方向寸法を有して中心軸Ｃ方向に延びる円筒状箇所からなり、その背面には、光源Ｌからの光を受光する凸（集光）レンズからなる受光部１１４が形成されており、この受光部１１４から入光した光は、光導入部１１２内を中心軸Ｃ方向に向けて直進もしくは反射しながら進む。
【００１８】
導光部１１３は、その先端側が遮光部材２，３から部分的に露出しており、光源Ｌからの光で透光部材１が光輝した際、線状の発光する指示部１２の発光意匠と共に円弧状に発光する発光部１１５を形成する。
【００１９】
この導光部１１３は、その直径方向における厚み寸法が発光部１１５に向かうに従って徐々に小さくなる形状を有しており、この形状により導光部１１３内に発光部１１５に向かうに従って徐々に開口径が経大となるすり鉢状の壁面部１１６が形成されている。
【００２０】
導光部１１３と光導入部１１２との接続箇所には、中心軸Ｃに沿って受光部１１４と対向し、受光部１１４からの光を中心軸Ｃを基準とした放射方向に反射する第１の反射部１１７と、この第１の反射部１１７及び発光部１１５と対向し、第１の反射部１１７を通じて反射された光を発光部１１５側に反射する第２の反射部１１８とが形成される
【００２１】
また第２の反射部１１８の外壁部には、例えばホットスタンプにより着色層１１９が形成されており、光源Ｌの消灯時に発光部１１５を見たとき、発光部１１５を通じて導光部１１３に入射した外光が着色層１１９を照らすことで、発光部１１５が着色されて視認され、一方、光源Ｌの点灯時には、受光部１１４を通じて入光した光源Ｌの光が着色層１１９を照らすことにより、入射光を着色、色変換、もしくは色調整し、これにより発光部１１５が着色、色変換、または調整された色で視認される。
【００２２】
指示部１２は、導光部１１３の先端から伸びており、その元部は導光部１１３の発光部１１５と共有される構造であり、第２の反射部１１８にて反射されて導光部１１３内を中心軸Ｃ方向に進む光を元部に形成した第３の反射部１２１で中心軸Ｃと交差（この場合、直交）する方向に反射させ、指示部１２が線状に発光する構造である。なお指示部１２の背面には、着色層１１９と同じ着色層が形成されているが、図示は省略してある。
【００２３】
遮光部材２，３は、共に円筒形状を有する別部材からなり、その直径方向の断面形状が有底カップ形の第１の遮光部材２と、直径方向の断面形状が有底カップ形であるが、底部が光導入部１１２にて分断された第２の遮光部材３とにより構成される。
【００２４】
第１の遮光部材２は、壁面部１１６の形状に対応した被覆部２１を有し、この被覆部２１は、側壁部と側壁部どうしをつなぐ底部とですり鉢状に形成され、側壁部の直径方向の断面形状は、底部から遠ざかるに従って徐々に厚み寸法が小さくなるように設定され、これにより側壁部の外壁面は壁面部１１６の形状に合致し、側壁部の内壁部は、その中心軸Ｃに対する傾き角度が壁面部１１６の中心軸Ｃに対する傾き角度よりも大きく設定されている。このようにすり鉢状の壁面部１１６を同じくすり鉢状の被覆部２１で覆うことにより、発光指針の中央部に窪み部Ｋを形成している。
【００２５】
第２の遮光部材３は、導光部１１３と第２の反射部１１８（着色層１１９）の外周部を覆うことにより、基部１１の側周面から光が漏れないようになっている。
【００２６】
以上のように、本実施形態によれば、計器本体Ｍの指針軸Ｓを中心として回転する基部１１と、この基部１１から連続して指針軸Ｓと交差する方向に伸長する指示部１２とを有し、基部１１の背後側端部に形成した受光部１１４から入光する光によって光輝する透光部材１と、指示部１２を露出させた状態で基部１１を覆う遮光部材２，３とを備え、基部１１が指針軸Ｓを中心軸Ｃとした円筒状の導光部１１３を有し、この導光部１１３の先端側を遮光部材２，３から露出させることにより、光源Ｌからの光を透光部材１に入射させた際、線状に発光する指示部１２の発光意匠に連続する円弧状の発光部１１５を形成してなる発光指針において、導光部１１３の直径方向における厚み寸法を発光部１１５に向かうに従って徐々に小さく設けることによって導光部１１３内に発光部１１５に向かうに従って徐々に開口径が経大となるすり鉢状の壁面部１１６を設け、遮光部材２に壁面部１１６の形状に対応するすり鉢状の被覆部２１を設け、この被覆部２１で壁面部１１６を覆ってなることにより、発光部１１５に近づくに従って徐々に厚みが小さくなる導光部１１３により、発光部１１５に至る導光部分の体積を大きくして照明効率を高めながら、発光部１１５に向けて厚みが小さくなる形状を利用して、すり鉢状の壁面部１１６を形成し、この壁面部１１６を遮光部材２の被覆部２１で覆うことにより、発光指針の中央部にすり鉢状の窪み部Ｋを形成することができ、これにより指針造形に立体感を与えることができる。
【００２７】
また本実施形態では、基部１１が受光部１１４と導光部１１３との間に導光部１１３と同軸で且つ導光部１１３よりも小さな直径方向寸法を有して中心軸Ｃ方向に延びる円筒状の光導入部１１２を有することにより、光導入部１１２が導光部１１３よりも小さな直径方向寸法を有するため、発光指針を目盛板Ｐ上で回転させる際、必要な貫通孔のサイズを小さくでき、光漏れ等の不具合を抑制することができる。
【００２８】
また本実施形態では、光導入部１１２と導光部１１３との接続箇所に、受光部１１４からの光を中心軸Ｃを基準とした放射方向に反射する第１の反射部１１７と、この第１の反射部１１７を通じて反射された光を導光部１１３の先端側に反射する第２の反射部１１８とが形成されることにより、第１，第２の反射部に１１７，１１８よって導光効率を向上させることができる。
【００２９】
また本実施形態では、第２の反射部１１８の外壁面に着色層１１９を設けてなることにいより、発光指針の発光時には着色層１１８によって発光部１１５が着色、色変換、または色調整されて視認され、また発光指針の非発光時には着色層１１９が発光部を透過して視認されるため、常に発光部１１５を所定色にて視認させることができる。
【００３０】
図６は本発明の第２の実施形態を示す断面図であり、本実施形態では被覆部２１の底部に基部１１からの光を透過する例えば円形の透光部２２を設けたものである。
【００３１】
このように構成したことにより、被覆部２１の底部を発光させることができ、発光する透光部２２と発光部１１５との高低差によって、照明時の立体感を得ることができる。
【図面の簡単な説明】
【００３２】
なお前記第１，第２の実施形態では、発光部１１５と指示部１２とが連続して発光する例を示したが、不連続に発光させてもよい。
【００３３】
【図１】本実施形態による発光指針の前面側を示す斜視図。
【図２】同実施形態による発光指針の背面側を示す斜視図。
【図３】同実施形態による発光指針の分解斜視図。
【図４】同実施形態による発光指針の前面側を示す正面図。
【図５】図４のＡ−Ａ断面図。
【図６】本発明の第２の実施形態を示す断面図。
【符号の説明】
【００３４】
１  透光部材
２  第１の遮光部材
３  第２の遮光部材
１１  基部
１２  指示部
２１  被覆部
２２  透光部
１１１  連結部
１１２  光導入部
１１３  導光部
１１４  受光部
１１５  発光部
１１６  壁面部
１１７  第１の反射部
１１８  第２の反射部
１１９  着色層
１２１  第３の反射部
Ｃ  中心軸
Ｋ  窪み部
Ｌ  光源
Ｍ  計器本体
Ｐ  目盛板
Ｓ  指針軸
【図１】
2010112720.tif 000003
【図２】
2010112720.tif 000004
【図３】
2010112720.tif 000005
【図４】
2010112720.tif 000006
【図５】
2010112720.tif 000007
【図６】
2010112720.tif 000008